(57)【要約】      （修正有）【課題】基板の被水を防止できる基板の被水防止構造を提供する。【解決手段】モニタ２と基板６との間にあり基板６を保持する第２壁部４２が、モニタ２の表示面２０から前方に突き出る方向に伸び、基板６の上側面６１を覆う第１壁部４１の端部４１ａから一体的に伸びている。電子機器に対して、例えばユーザが飲み物等の液体を誤って掛けてしまった場合、液体は、経路Ｒとして示すように、モニタ２の表示面２０から、表示面２０と端部４１ａとの間、次いで、表示面２０と第２壁部４２との間へと浸入し、モニタ２の下方へと流れる。【選択図】図３
2019186348.tif 000002
【特許請求の範囲】
【請求項１】
電子機器の露出面に取り付けられるパネルと、
前記パネルにより、前記露出面よりも前方の位置で保持される基板とを備え、
前記パネルは、
前記露出面から前方に突き出る方向に伸び、前記基板の上側面を覆う第１壁部と、
前記基板と前記露出面との間にあり、前記第１壁部の前記露出面側の端部から一体的に、前記露出面に沿って伸びる第２壁部とを有することを特徴とする基板の被水防止構造。
【請求項２】
前記パネルには、ボタンが取り付けられ、
前記基板には、前記ボタンにより押下されるスイッチが実装されることを特徴とする請求項１記載の基板の被水防止構造。
【請求項３】
前記露出面は、モニタの表示面であることを特徴とする請求項１又は請求項２記載の基板の被水防止構造。
【請求項４】
請求項１から請求項３のうちのいずれか１項記載の基板の被水防止構造を備えることを特徴とする車載機器。
【発明の詳細な説明】
【技術分野】
【０００１】
この発明は、電子機器が備える基板の被水を防止するための構造に関するものである。
【背景技術】
【０００２】
特許文献１の表示装置では、前面パネルの裏側に、スイッチノブとスイッチ基板とが装着されたホルダが設けられている。ホルダの上面には、受部と、当該受部の後端側を閉鎖する立上部とからなる、溝状の被水防止ガイドが形成されている。表示装置の前面に液体が掛かった場合、滴下した液体は、被水防止ガイドで受け止められる。
【先行技術文献】
【特許文献】
【０００３】
【特許文献１】特開２００７―７９２４５号公報
【発明の概要】
【発明が解決しようとする課題】
【０００４】
しかしながら、上記特許文献１の表示装置では、液体が、被水防止ガイドに落ちていくのではなく、ホルダの上端に形成された支持部と前面パネルとの間に浸入してしまう可能性がある。すると、スイッチノブとホルダとの間に液体が回り込み、最終的にスイッチとスイッチノブとの接触箇所等、スイッチ基板まで液体が到達してしまうことがある。また、被水防止ガイドに落ちた液体が、当該被水防止ガイドの端部を経てスイッチ基板に到達する可能性もある。したがって、上記特許文献１の表示装置では、依然として、基板の被水を防止できない恐れがあった。
【０００５】
この発明は、上記のような課題を解決するためになされたもので、基板の被水を防止できる基板の被水防止構造を得ることを目的とする。
【課題を解決するための手段】
【０００６】
この発明に係る基板の被水防止構造は、電子機器の露出面に取り付けられるパネルと、パネルにより、露出面よりも前方の位置で保持される基板とを備え、パネルは、露出面から前方に突き出る方向に伸び、基板の上側面を覆う第１壁部と、基板と露出面との間にあり、第１壁部の露出面側の端部から一体的に、露出面に沿って伸びる第２壁部とを有することを特徴とするものである。
【発明の効果】
【０００７】
この発明によれば、第１壁部と第２壁部との間に隙間が無いことから、基板の被水を防止できる。
【図面の簡単な説明】
【０００８】
【図１】実施の形態１に係る基板の被水防止構造を備えた電子機器の斜視図であり、基板が電子機器から取り外された状態を示している。
【図２】実施の形態１に係る基板の被水防止構造を備えた電子機器の斜視図であり、ボタン及び基板が不図示となっている。
【図３】図１中のＡ−Ａ線に沿ってパネル付近を切断した際の断面図である。
【発明を実施するための形態】
【０００９】
実施の形態１．
図１及び図２は、実施の形態１に係る基板の被水防止構造を備えた電子機器１の斜視図である。実施の形態１に係る基板の被水防止構造は、パネル４と基板６とを備える。図１は、基板６が電子機器１から取り外された状態を示している。また、図２では、ボタン５及び基板６が不図示となっている。
【００１０】
電子機器１は、モニタ２、パネルフロント３、パネル４、ボタン５及び基板６を有する。
モニタ２は、種々の映像を表示するものであり、例えば液晶モニタである。
パネルフロント３は、略枠状の部材である。パネルフロント３は、モニタ２の側面に嵌め込まれて、モニタ２を保持する。
【００１１】
パネル４は、取付孔４０を用いてパネルフロント３にねじ止めされることで、モニタ２の表示面２０に取り付けられる。パネル４は、内部に基板６を保持する。また、パネル４には、ボタン５が取り付けられる。なお、表示面２０のうちパネル４が取り付けられる部分は、表示機能を有していない部分、又は、ユーザにとって意味をなさない情報を表示する部分となっている。
【００１２】
基板６には、スイッチ６０が実装されている。スイッチ６０は、ユーザがボタン５を押下した場合に、ボタン５によって押下される。ボタン５は、電源のオンオフ、又は、音量の上げ下げ等の操作用に設けられている。ユーザは、電源のオンオフ、又は、音量の上げ下げ等を目的として、ボタン５を押下する。
図１及び図２に示す電子機器１は、例えば、車のナビゲーション画面を表示する車載機器として使用される。電子機器１は、モニタ２の表示面２０が鉛直方向と略平行で、かつ、パネル４が電子機器１の下部となる状態で使用される。
【００１３】
図３は、基板６がパネル４に保持された状態で、図１中のＡ−Ａ線に沿ってパネル４付近を切断した際の断面図である。
パネル４は、図３中のＢ方向に伸びる第１壁部４１と、それぞれ図３中のＣ方向に伸びる第２壁部４２及び第３壁部４３とを有する。
Ｂ方向は、電子機器１の露出面から前方に突き出る方向である。電子機器１の露出面は、電子機器１の外皮となる面であり、図示例ではモニタ２の表示面２０が該当する。また、前方は、電子機器１から見て当該電子機器１のユーザが位置する側を指し、図３においては右方が該当する。なお、前方と反対の方向、すなわち、図３における左方に該当する方向を、以下、後方という。
Ｃ方向は、モニタ２の表示面２０に沿った方向であり、図３においては上方から下方に向かう方向である。
【００１４】
第１壁部４１は、図２に示すように平面視略矩形の壁である。第１壁部４１は、図３のＢ方向における端部として、表示面２０（露出面）側の端部４１ａ、及び、前方側の端部４１ｂを有する。第１壁部４１における、表示面２０側の端部４１ａからは、第２壁部４２がＣ方向に一体的に伸びている。
第２壁部４２は、図２に示すように平面視略矩形の壁である。図３に示すように、第１壁部４１の端部４１ａ、及び、モニタ２の表示面２０に沿って伸びる第２壁部４２の後方側の面は、表示面２０に接触した状態にある。しかしながら、モニタ２とパネル４とは互いに別々の部品なので、表示面２０と端部４１ａとの間、及び、表示面２０と第２壁部４２との間には、厳密には僅かな隙間が存在している。後述するように、基板６がパネル４に保持された状態においては、第２壁部４２は、基板６と表示面２０との間にある状態となる。
第３壁部４３は、図２に示すように第１壁部４１から片持ち状に一体的に伸びる壁である。
【００１５】
基板６は、第２壁部４２と第３壁部４３とで挟まれて、パネル４の内部にて、表示面２０よりも前方の位置で保持される。その際、基板６は、図３において上面となっている側面、つまり、上側面６１が、第１壁部４１によって覆われた状態となる。また、基板６に実装されたスイッチ６０は、ボタン５の凸部５０と対向する。
【００１６】
ボタン５は、第１壁部４１の前方側の端部４１ｂから一体的に伸びる第４壁部４４に取り付けられている。第４壁部４４は、電子機器１の意匠面となるものである。
なお、図３では、図１に示す状態から基板６を電子機器１に取り付けた後に、パネル４の底蓋として機能する板金シャーシ７を更に取り付けたときの状態が示されている。また、基板６用の電源ケーブル等は、第２壁部４２の下端部と板金シャーシ７との間の空間に配線される。
【００１７】
上記で説明した電子機器１に対して、例えばユーザが飲み物等の液体を誤って掛けてしまった場合を考える。この場合、液体は、図３中に経路Ｒとして示すように、モニタ２の表示面２０から、表示面２０と端部４１ａとの間、次いで、表示面２０と第２壁部４２との間へと浸入し、図３におけるモニタ２の下方へと流れる。
第１壁部４１の端部４１ａから、第２壁部４２が一体的に伸びていることにより、第１壁部４１と第２壁部４２との間に隙間は無く、液体は経路Ｒに沿って流れることができる。
【００１８】
これに対し、仮に第１壁部４１と第２壁部４２とが互いに別々の部品で構成されている場合、第１壁部４１と第２壁部４２とを突き合わせた際に図３中に点線で示すような隙間Ｇが生じ、表示面２０と端部４１ａとの間に浸入した液体が、隙間Ｇからパネル４の内部そして基板６へと到達する。基板６へ液体が到達すると、基板６でショート等が発生する恐れがある。
実施の形態１に係る基板の被水防止構造では、隙間Ｇが生じないようにすることで、電子機器１に掛かった液体が基板６まで到達することを防ぎ、基板６の被水を防止することができる。
【００１９】
なお、上記では、電子機器１が車載機器であるとして説明したが、電子機器１は、車載機器ではなく、例えば家庭内に置かれる機器であってもよい。
【００２０】
また、上記では、基板６にスイッチ６０が実装され、パネル４にボタン５が取り付けられるとして説明した。しかしながら、基板６は、不図示のリモコンが発する赤外線を受信する赤外線センサ、又は、放送波を受信するアンテナ等が実装された基板であってもよい。基板６にスイッチ６０が無い場合は、ボタン５も不要となる。
【００２１】
また、上記では、この実施の形態１に係る基板の被水防止構造を備える電子機器１が、モニタ２を備え、表示機能を有する機器であるとして説明した。しかしながら、ガスコンロ又はＩＨ（Ｉｎｄｕｃｔｉｏｎ Ｈｅａｔｉｎｇ）コンロ等において、火力調節等のユーザによるボタン操作を検知するスイッチが実装された基板を被水から守るために、この実施の形態１に係る基板の被水防止構造が使用されてもよい。
【００２２】
また、基板６が両面テープ等で第２壁部４２に貼り付けられることにより、基板６がパネル４に保持されるようにしてもよい。この場合、パネル４から第３壁部４３を省略することが可能である。
【００２３】
以上のように、この実施の形態１に係る基板の被水防止構造によれば、モニタ２と基板６との間にあり基板６を保持する第２壁部４２が、モニタ２の表示面２０から前方に突き出る方向に伸び、基板６の上側面６１を覆う第１壁部４１の端部４１ａから一体的に伸びていることにより、第１壁部４１と第２壁部４２との間に隙間が形成されず、基板６の被水を防止することができる。
【００２４】
また、パネル４には、ボタン５が取り付けられ、基板６には、ボタン５により押下されるスイッチ６０が実装される。電子機器１は、ボタン５を有する場合、ユーザからアクセスしやすい場所に置かれるが、そのような場所は、液体が掛かる可能性も高い。したがって、この実施の形態１に係る基板の被水防止構造が特に有用となる。
【００２５】
また、露出面は、モニタ２の表示面２０である。電子機器１は、モニタ２を有する場合、ユーザからアクセスしやすい場所に置かれるが、そのような場所は、液体が掛かる可能性も高い。したがって、この実施の形態１に係る基板の被水防止構造が特に有用となる。
【００２６】
また、実施の形態１に係る基板の被水防止構造は、車載装置に備えられる。車載装置は、周囲にドライバの飲み物等が置かれることが多く、かつ振動が発生しやすい状況であるため、この実施の形態１に係る基板の被水防止構造を備えることは、特に有用である。
【００２７】
なお、本願発明はその発明の範囲内において、実施の形態の任意の構成要素の変形、もしくは実施の形態の任意の構成要素の省略が可能である。
【符号の説明】
【００２８】
１  電子機器、２  モニタ、３  パネルフロント、４  パネル、５  ボタン、６  基板、７  板金シャーシ、２０  表示面、４０  取付孔、４１  第１壁部、４１ａ，４１ｂ  端部、４２  第２壁部、４３  第３壁部、４４  第４壁部、５０  凸部、６０  スイッチ、６１  上側面。
【図１】
2019186348.tif 000003
【図２】
2019186348.tif 000004
【図３】
2019186348.tif 000005